(57)【要約】      （修正有）【課題】データ収集システム及び制御装置を提供すること。【解決手段】データ収集システムであって、グラフィカルユーザインタフェースと、前記グラフィカルユーザインタフェースと通信し、前記グラフィカルユーザインタフェースにコマンドを送信するように構成されたプロセッサと、光コヒーレンス断層撮影データ収集セッションからの画像データを第１の２次元ビューに従って第１のパネルに表示するように構成された前記グラフィカルユーザインタフェースと、画像データを第２の２次元ビューに従って第２のパネルに表示するように構成された前記グラフィカルユーザインタフェースと、画像データを第３のパネルに表示するように構成された前記グラフィカルユーザインタフェースと、制御装置からのコマンドを受信するように構成された受信器と、１つ以上の画像フレームを変更するように構成された前記グラフィカルユーザインタフェースと、を備える。【選択図】図２Ａ
2018170017.tif 000002
【特許請求の範囲】
【請求項１】
データ収集システムであって、
グラフィカルユーザインタフェースと、
前記グラフィカルユーザインタフェースと通信し、前記グラフィカルユーザインタフェースにコマンドを送信するように構成されたプロセッサと、
光コヒーレンス断層撮影データ収集セッションからの画像データを第１の２次元ビューに従って第１のパネルに表示するように構成された前記グラフィカルユーザインタフェースと、
光コヒーレンス断層撮影処置からの画像データを第２の２次元ビューに従って第２のパネルに表示するように構成された前記グラフィカルユーザインタフェースと、
血管造影データ収集セッションからの画像データを第３のパネルに表示するように構成された前記グラフィカルユーザインタフェースと、
制御装置からのコマンドを受信するように構成された受信器と、
受信されたコマンドに応答して、前記第１のパネル及び前記第２のパネルにおいて１つ以上の画像フレームを変更するように構成された前記グラフィカルユーザインタフェースと、
を備えるシステム。
【請求項２】
前記受信されるコマンドは、回転可能な入力デバイスから生成される、請求項１に記載のシステム。
【請求項３】
前記第１のパネルの前記画像フレームは、前記第２のパネルの前記画像フレームと同期している、請求項２に記載のシステム。
【請求項４】
前記第１のパネルは血管の断面画像を表示し、前記第２のパネルは血管の長手方向画像を表示する、請求項２に記載のシステム。
【請求項５】
前記制御装置は、前方傾斜付勢を有するジョイスティックを備えるポインティングデバイスである、請求項２に記載のシステム。
【請求項６】
前記制御装置は、ハウジングであって、
ユーザ側セクションと、
穴を画定する支持物側セクションと、を備える前記ハウジングと、
前記ユーザ側セクションに隣接する第１の入力デバイスと、
第２の入力デバイスであって、
第３の入力デバイスを備えるノブと、
前記穴を貫通して延び、一部分が前記ノブ内に配置されている回転可能なシャフトと、を備える前記第２の入力デバイスと、
支持物と係合するように構成された取り付け器具であって、前記ユーザ側セクション及び前記支持物側セクションは、互いに対して、ある角度で配置されている、前記取り付け器具と、を備える、
請求項２に記載のシステム。
【請求項７】
前記制御装置は、支持物と係合するように構成された取り付け器具と、ユーザ側セクションと、支持物側セクションと、を備え、前記支持物側セクションは、前記ユーザ側セクションに対して、ある角度で配置される、請求項２に記載のシステム。
【請求項８】
前記角度の範囲は約７０度から約１７０度である、請求項７に記載のシステム。
【請求項９】
データ収集システムの制御装置であって、
プロセッサと、
ハウジングであって、
屈曲部と、
穴を画定する患者側セクションと、
ユーザ側セクションと、を備え、前記ハウジング内に前記プロセッサが配置されている、前記ハウジングと、
入力デバイスであって、
ハンドグリップ表面を備えるノブと、
前記穴を貫通して延び、一部分が前記ノブ内に配置されている回転可能なシャフトと、を備える前記入力デバイスと、
を備え、
前記患者側セクションは、前記ユーザ側セクションに対して、ある角度で配置されており、
前記屈曲部は前記角度を画定し、
前記シャフトの回転は、前記プロセッサからグラフィカルユーザインタフェースへのコマンドを発生するようにプログラムされており、
前記コマンドは、
アクティブフレームを次の近位フレームまで動かすこと、
アクティブフレームを次の遠位フレームまで動かすこと、
回転モードに入ること、及び
切断面を回転させること、
からなる群から選択される、
制御装置。
【請求項１０】
前記角度の範囲は約７０度から約１７０度である、請求項９に記載の制御装置。
【請求項１１】
前記制御装置は、支持物と係合するように構成された取り付け器具と、ユーザ側セクションと、支持物側セクションと、を備え、前記支持物側セクションは、前記ユーザ側セクションに対して、ある角度で配置される、請求項９に記載の制御装置。
【請求項１２】
前記制御装置は、グラフィカルユーザインタフェースへのコマンドを発生するようにプログラムされた複数のボタンを備える、請求項９に記載の制御装置。
【請求項１３】
前記複数のボタンは、前記ユーザ側セクションに配置されている、請求項９に記載の制御装置。
【請求項１４】
前記コマンドは、
オフと３Ｄと血管造影とフライスルーとの間で表示を切り換えることと、
オフと管腔縦断面との間で表示を切り換えることと、
遠位基準フレームを現在のアクティブフレームにはめ込むことと、
オフと管腔とステントと管腔及びステントとの間でセグメンテーションを切り換えることと、
からなる群から選択される、
請求項１２に記載の制御装置。
【請求項１５】
前記プロセッサと電子通信する無線送信機を備える、請求項９に記載の制御装置。
【発明の詳細な説明】
【技術分野】
【０００１】
本発明は、データ収集システム及びデータ収集システムの制御装置に関する。
【背景技術】
【０００２】
超音波画像化システム、例えば、血管内超音波（ＩＶＵＳ）画像化システムは、様々な制御装置を使用する。例えば、幾つかのＩＶＵＳシステムでは、制御装置としてポインティングデバイスを使用する。そのようなポインティングデバイスとして、トラックボール、タッチパッド、タッチモニタ、マウス、２次元（ＸＹ）ジョイスティックなどがあってよい。これらのデバイスは、カテーテル式の処置を行う状況で使用する為、滅菌ドレープの下などの滅菌環境で使用しなければならないのが普通である。これらのデバイスには様々な制限がある。その幾つかについて以下で概説する。
【０００３】
デバイス固有の制限の幾つかの例を以下に概説する。タッチモニタは、情報の表示と制御入力の受け取りの両方を行う。従って、タッチモニタは単体の制御装置として動作することができない。タッチモニタを使用する場合、ユーザは、作業台越しに手を伸ばさないとシステムを制御できない。トラックボールコントローラ、タッチパッド、タッチモニタ、及びマウスは、滅菌ドレープの下で使用するのが困難である。更に、トラックボールは、幾つかのマウス機能を欠いている。タッチパッドのようなタッチ式のデバイスは、誤操作が起こりやすい。マウスは、作業台から落としやすい。２次元（ＸＹ）ジョイスティックは、「クリックアンドドラッグ」機能に使用するのが困難であり、それにはマウスのほうが好ましい。これらの制限及び他の制限が、ＯＣＴ、ＦＦＲ、ＩＶＵＳなどの処置の途中又は後にデータ収集システムを制御する際の妨げになり、複雑さを高めることになる。
【０００４】
更に、これらの各種デバイスは、処置中又は処置後の使用において手根管又は他の種類の不快さを引き起こしやすい方向でユーザに提示されることが多い。そこで、これらの欠陥に対処する制御装置が必要とされている。本発明は、これらの必要性及び他の必要性に対処する。
【発明の概要】
【発明が解決しようとする課題】
【０００５】
本発明は、背景技術の課題を解決するためのものである。
【課題を解決するための手段】
【０００６】
本発明は、一つには、カテーテル式の画像化プローブを使用するシステムなどのデータ収集システムの為の制御装置の実施形態に関する。制御装置は２つ以上のセクションを含んでよく、各セクションは１つ以上の入力デバイスを支持するか、それらの入力デバイスにさわることを可能にするように構成され、入力デバイスは、例えば、あるセクションにおいてはジョイスティックなどのポインティングデバイスであり、別のセクションにおいては１つ又は複数のボタンである。それらのセクションは互いに対して傾斜していてよく、これは、入力デバイスが、１つの方向ではユーザに向かって傾斜し、別の方向ではユーザから離れるように傾斜するように方向づけられる為である。制御装置は、一実施形態では、支持物、例えば、台、ベッドなどの支持物に確実に取り付けられ、且つ、支持物から確実に解放されるように構成されている。一実施形態では、制御装置の１つのセクションが、そのような支持物に対して、ある傾斜角で方向づけられており、この角度の範囲は約９０度から約１７０度である。
【０００７】
一実施形態では、制御装置のハウジングの１つのセクションが、ジョイスティックのシャフトが貫通する穴を含む。ジョイスティックは、シャフトにより回転するように構成されたノブを含む。このように、ノブは、時計回り方向又は反時計回り方向にねじることが可能である。ノブは又、スイッチまたはボタンにさわって操作できるようにする穴を画定してよい。一実施形態では、グラフィカルユーザインタフェースと対話する際に、右又は左のマウスボタンの代わりに使用できるように、スイッチまたはボタンをプログラムすることが可能である。一実施形態では、グラフィカルユーザインタフェースは、血管の断面に関連付けられた光コヒーレンス断層撮影データを表示するように構成されており、このデータは、制御装置による２次元又は３次元でのナビゲーションが可能である。
【０００８】
制御装置は、支持物、又は支持物に平行な平面、或いは支持物と接触する平面に対する取り付け領域などの基準点によって画定される１つ以上の人間工学的ゾーンを含んでよい。一実施形態では、取り付け領域はクランプの一部であるか、クランプに隣接する。各人間工学的ゾーンは、１つ以上の入力デバイスを含んでよい。各入力デバイスは、滅菌ドレープ内のような滅菌環境において操作可能である。制御装置は、１つ以上の曲面を含んでよく、３次元の幾何学的形状、エッジ、又は断面形状を有してよく、これは、肘、フック、滑らかな接合、肩、湾曲、テーパ、丸み、細長セクションなどの形状又は形体のうちの１つ以上を含む。
【０００９】
制御装置は、処置によって収集されたデータにアクセスできるコンピューティング装置に制御信号を送信するように構成された有線または無線のコネクタを含んでよい。処置は、一実施形態では、ＯＣＴ、ＦＦＲ、又はＩＶＵＳのプローブなどのデータ収集プローブを使用して実施される。
【００１０】
一実施形態では、制御装置の１つのセクションが１つ以上のボタン又はスイッチを含む。このボタン又はスイッチは、行又は列のようなパターンで配列されてよい。一実施形態では、制御装置の２つのセクションの一方が、３行２列に配列された６個のプログラム可能なボタン又はスイッチを含む。
【００１１】
一実施形態では、制御装置及びユーザインタフェースは、足で自由に操作できるように構成される。従って、一実施形態では、データ収集システムの制御に使用されるメニュー、制御つまみ、及びコマンドの範囲については、フットペダルなどの制御装置を使用せずに、又は必要とせずに、制御装置の入力デバイスにより、対話が行われる。
【００１２】
本発明は、一つには、データ収集システムの制御装置に関する。制御装置は、ユーザ側セクションと穴を画定する支持物側セクションとを含むハウジングと、ユーザ側セクションに隣接する第１の入力デバイスと、第２の入力デバイスであって、第３の入力デバイスを含むノブと、穴を貫通して延び、一部分がノブ内に配置されている回転可能なシャフトと、を含む第２の入力デバイスと、支持物と係合するように構成された取り付け器具であって、ユーザ側セクション及び支持物側セクションは、互いに対して、ある角度で配置されている、取り付け器具と、を含む。
【００１３】
一実施形態では、この角度の範囲は約７０度から約１７０度である。一実施形態では、第２の入力デバイスは前方傾斜付勢されている。一実施形態では、第１の入力デバイスは複数のボタンを含む。一実施形態では、複数のボタンは、グラフィカルユーザインタフェース用コマンドを発生させるようにプログラムされている。一実施形態では、コマンドは、オフと３Ｄと血管造影とフライスルーとの間で表示を切り換えることと、オフと管腔縦断面との間で表示を切り換えることと、遠位基準フレームを現在のアクティブフレームにはめ込むことと、オフと管腔とステントと管腔及びステントとの間でセグメンテーションを切り換えることと、オフと長さと多点領域と２点領域と％ＡＳと％ＤＳとテキストとの間でアクティブな測定を切り換えることと、からなる群から選択される。一実施形態では、制御装置は更に、無線送信機及びプロセッサを含む。一実施形態では、シャフトの回転は、グラフィカルユーザインタフェース用コマンドを発生させるようにプログラムされている。一実施形態では、コマンドは、アクティブフレームを次の近位フレームまで動かすことと、アクティブフレームを次の遠位フレームまで動かすことと、回転モードに入り、切断面を回転させることと、からなる群から選択される。一実施形態では、この角度の範囲は約９０度超から約１６０度である。
【００１４】
本発明は、一つには、データ収集システムに関する。本システムは、グラフィカルユーザインタフェースと、グラフィカルユーザインタフェースと通信し、グラフィカルユーザインタフェースにコマンドを送信するように構成されたプロセッサと、光コヒーレンス断層撮影処置からの画像データを２次元形式で第１のパネルに表示するように構成されたグラフィカルユーザインタフェースと、光コヒーレンス断層撮影処置からの画像データを３次元形式で第２のパネルに表示するように構成されたグラフィカルユーザインタフェースと、血管造影処置からの画像データを第３のパネルに表示するように構成されたグラフィカルユーザインタフェースと、制御装置からのコマンドを受信するように構成された受信器と、受信されたコマンドに対する応答として第１のパネル及び第２のパネルにおいて１つ以上の画像フレームを変更するように構成されたグラフィカルユーザインタフェースと、を含む。
【００１５】
一実施形態では、受信されるコマンドは、回転可能な入力デバイスから生成される。一実施形態では、第１のパネルの画像フレームは、第２のパネルの画像フレームと同期している。一実施形態では、第１のパネルは血管の断面画像を表示し、第２のパネルは血管の長手方向画像を表示する。一実施形態では、制御装置は、前方傾斜付勢を有するジョイスティックを含むポインティングデバイスである。一実施形態では、制御装置は、ハウジングであって、ユーザ側セクションと、穴を画定する支持物側セクションと、含むハウジングと、ユーザ側セクションに隣接する第１の入力デバイスと、第２の入力デバイスであって、第３の入力デバイスを含むノブと、穴を貫通して延び、一部分がノブ内に配置されている回転可能なシャフトと、を含む第２の入力デバイスと、支持物と係合するように構成された取り付け器具であって、ユーザ側セクション及び支持物側セクションは、互いに対して、ある角度で配置されている、取り付け器具と、を含む。
【００１６】
一実施形態では、制御装置は、支持物と係合するように構成された取り付け器具と、ユーザ側セクションと、支持物側セクションと、を含み、支持物側セクションは、ユーザ側セクションに対して、ある角度で配置される。一実施形態では、この角度の範囲は約７０度から約１７０度である。
【００１７】
本発明は、一つには、データ収集システムの制御装置に関し、制御装置は、支持物と係合するように構成された取り付け器具と、１つ以上の入力デバイスを含むユーザ側セクションと、回転可能なノブを含むジョイスティックを含む支持物側セクションと、を含み、ユーザ側セクション及び支持物側セクションは、互いに対して、ある角度で配置され、ジョイスティックは支持物に向かう前方傾斜付勢を有する。一実施形態では、この角度の範囲は約７０度から約１７０度である。
【００１８】
各図面は、必ずしも正確な縮尺では描かれておらず、むしろ主に原理を図解することに重点が置かれている。各図面は、あらゆる面において説明的であると見なされるべきであり、本発明を限定することは意図されておらず、本発明の範囲は特許請求の範囲によってのみ定義される。
【図面の簡単な説明】
【００１９】
【図１Ａ】カテーテル検査室などの例示的処置室の室内レイアウトと本発明の一例示的実施形態による制御装置とを示す図である。
【図１Ｂ】本発明の一例示的実施形態による制御装置の斜視図である。
【図１Ｃ】本発明の一例示的実施形態による、制御装置を受けることに適していて、制御装置が解放可能に固定される支持物の斜視図である。
【図２Ａ】本発明の一例示的実施形態による制御装置及び様々なゾーンの概略図である。
【図２Ｂ】本発明の一例示的実施形態による制御装置の斜視図である。
【図３Ａ】乃至
【図３Ｅ】本発明の一例示的実施形態による制御装置の様々な斜視図である。
【図４Ａ】乃至
【図４Ｄ】本発明の一例示的実施形態による制御装置の取り付け器具の様々な斜視図である。
【図５Ａ】乃至
【図５Ｃ】本発明の一例示的実施形態による制御装置の取り付け器具の様々な斜視図である。
【図５Ｄ】乃至
【図５Ｐ】本発明の一例示的実施形態による制御装置の取り付け器具の更に様々な図である。
【図６】本発明の一例示的実施形態によるデータ収集システム、制御ソフトウェア、及び関連サブシステムを示す図である。
【図７Ａ】本発明の一例示的実施形態による、心臓血管データを表示するグラフィカルユーザインタフェースを示す図である。
【図７Ｂ】本発明の一例示的実施形態によるグラフィカルユーザインタフェースを示す図である。
【図７Ｃ】本発明の一例示的実施形態による、複数のボタン又はスイッチを含む入力デバイスの概略図である。
【図８Ａ】乃至
【図８Ｂ】本発明の一例示的実施形態による、様々な回転方向や入力デバイスの位置を示す概略図である。
【図９】本発明の一例示的実施形態による入力デバイスをねじることによってインクリメント及びデクリメントが可能な３フレーム分の画像データに対応する、一連の血管の断面画像を示す図である。
【発明を実施するための形態】
【００２０】
本発明の一実施形態は、一つには、データ収集システムとともに使用されることに適する制御装置及びユーザインタフェースソフトウェアに関し、そのようなデータ収集システムとして、血管内超音波システム、光コヒーレンス断層撮影装置（ＯＣＴ）、冠血流予備量比（ＦＦＲ）システム、血管造影システム、組み合わせシステム（例えば、デュアルＯＣＴ及びＩＶＵＳシステム又は他の好適なシステム）などがある。これらの制御装置及びユーザインタフェースソフトウェアは、カテーテル検査室の中又は近くで使用されてよく、或いはカテーテル検査室から離れた場所で使用されてもよいが、カテーテル式の処置などのデータ収集処置の間に取得されるデータの表示と統合されるか、その表示を制御するように構成される。そのような処置の１つが、光コヒーレンス断層撮影プルバックである。一例示的カテーテル検査室５を図１Ａに示す。実施形態によっては、データ収集は、そのような検査室５で、台などの支持物２０に載せられた患者に挿入されたプローブを使用して行われる。
【００２１】
図１Ａには、ＯＣＴ、ＦＦＲ、ＩＶＵＳ、血管造影などのシステムのようなデータ収集システムを制御することに好適な制御装置１０が示されている。ユーザは、マウント可能な制御装置１０を通して、データ収集システムと対話したり、対話以外の方法で、蓄積された画像データにアクセスしてこれを表示したりすることが可能である。制御装置は、支持部材１５にマウントされてよく、支持部材１５は、例えば、台、ベッド、又は他の支持物２０に備えられたアクセサリレールである。支持部材１５は、支持物２０の一部分であってよく、或いは、制御装置は、一実施形態では、支持物２０に直接取り付けられてよい。一実施形態では、制御装置１０は、図示されているマウント用クランプなどの取り付け器具６０を含む。制御装置１０は、１つ以上のモニタ２３に表示されるグラフィカルユーザインタフェースを表示及びナビゲートする為に使用されてよい。一実施形態では、それらのモニタは、天井懸架装置にマウントされてよい。所与のモニタにグラフィカルユーザインタフェース２７が表示されてよい。
【００２２】
一実施形態では、制御装置は、グラフィカルユーザインタフェース２７の一部としてユーザが使用できるコマンド及びメニューにマッピングされるように構成された機能セットを有する。ＯＣＴ処置などの別のデータ収集処置が進行している間に患者のＸ線写真を取得する為に、血管造影システム２５が、支持物２０に対して相対的に位置決めされてよい。グラフィカルユーザインタフェース２７は、そのようなＯＣＴ、血管造影、ＦＦＲ、ＩＶＵＳなどの、ユーザの関心があるデータを表示することが可能である。制御装置１０は、インタフェース２７を制御して、インタフェース２７がユーザに対して表示するメニュー及び画像表示機能をナビゲートするように構成されている。
【００２３】
本発明の一実施形態は、一つには、ＯＣＴ、ＦＦＲ、ＩＶＵＳ、血管造影、又は他の、心臓血管又は管腔に関連するデータ収集処置の間に取得されたデータを表現及びナビゲートするように構成されたグラフィカルユーザインタフェースとともに使用されるように構成された制御装置に関する。制御装置とソフトウェアは、一実施形態ではタンデムで動作することにより、所与の光コヒーレンス断層撮影画像データセットに関連付けられた、よく使用される機能への素早いアクセスを最小作動量で提供するように構成されている。制御装置及び入力構成要素の表面は、一実施形態では、滅菌ドレープの下で医療用手袋を装着して使用することを前提としている。これらの表面は、滅菌ドレープの下での入力デバイスの把持及び操作を容易にするリッジ又は他の表面形体を含んでよい。制御装置及びソフトウェアは、所与の画像データ収集システムの複数の構成で使用できるように、汎用のソフトウェアドライバで動作するように設計されている。制御装置は又、モバイルデータ収集システムの遠隔制御を行う為のコンソールとして使用されてもよい。
【００２４】
制御装置とＧＵＩの組み合わせにより、ユーザは、マウスをクリックしてドラッグするなどの操作を行わなくても、ＯＣＴデータやＦＦＲデータなどのデータを素早くレビューしたり操作したりすることが可能になる。これらの操作及び他の操作は、滅菌ドレープの下では実施しにくいものであるが、制御装置を使用すれば、回避されるか、実施しやすくなる。これは主に、従来のＸＹ動作での移動に加えて時計回り又は反時計回りにねじることが可能なジョイスティックを使用することにより達成される。制御装置は、無線通信装置を含む。従って、一実施形態では、制御装置は、モバイルデータ収集システムに無線接続して、患者又は処置室のそばでの制御をユーザに提供したり、患者又は処置室から離れたりすることが可能である。
【００２５】
データ収集システムの１つ以上の機能、例えば、その表示機能又は画像データナビゲーション機能を制御することに好適な制御装置の一例示的実施形態を図１Ｂに示す。制御装置は、外殻などのハウジングを含み、これは連続的なハウジングであってよく、或いは、複数のハウジング構成要素から形成されてもよい。例えば、ハウジングは、上部ハウジング１２及び下部ハウジング１４を含んでよい。制御装置１０は、１つ以上の入力デバイスの向きに角度を付けることによって使いやすさ及び使い心地が向上するように、１つ以上の入力デバイスをユーザに提示するように成形されてよい。制御装置１０は、側面から見た場合、ホッケー用スティック、肘、又はＬ字の形状の構成を有してよい。上述の事柄にかかわらず、制御装置は、ジョイスティックなどの各種入力デバイス、及びボタンやスイッチなどの入力を人間工学的角度で提示するように構成された、様々な表面形状及び角度付きセクションを有してよい。ジョイスティックが前方に付勢されていることにより、処置中の操作がしやすくなり、人間工学的性能が向上する。
【００２６】
図１Ｂに示されるように、各入力デバイスは、制御装置の別々のセクションに沿って配置される。制御装置の１つのセクションに、ボタン又はスイッチＡ１〜Ａ６を含む例示的制御装置が配列されて示されている。別の入力デバイスが、回転可能なノブを有するＸＹＺジョイスティックなどの操作可能な細長部材５０を含んでよい。細長部材５０は、カバー又はグリップ５３を含んでよい。カバー５３の面上又は面内にボタン５５が配置されてよい。この部材５０はねじることができ、ボタンは、インタフェース２７との対話時にはマウスボタンを操作するように構成されてよい。
【００２７】
一方、上部ハウジング１２などのハウジングは、１つ以上の穴又はキャビティを画定してよい。これらの穴のサイズ及び並び方は、ユーザがスイッチやジョイスティック（例えば、細長部材５０）にさわれることが可能になるように決定されてよい。制御装置は、制御装置又は制御装置ドックを台、ベッド、台車付き担架などの支持物、又は他の好適な支持物に取り付けることに適した取り付け器具６０を含む。一実施形態では、細長部材５０は、前方傾斜付勢を含むジョイスティックである。ジョイスティックの前方傾斜付勢により、トラックボールやＸＹジョイスティックなどの既存デバイスに比べて人間工学的性能が大幅に向上している。
【００２８】
一実施形態では、前方傾斜付勢は、制御装置の、ジョイスティックなどのポインティングデバイスのような構成要素が、床に対して角度が付いて傾斜した面又は構造物、又は床の上に配置された支持構造物の表面、又は前述のもののいずれかに平行な面の上に配置された形体を指している。例えば、一実施形態では、前方傾斜付勢を有する、ジョイスティックのポストのような細長部材を有するポインティングデバイスが、デバイスの使用者の手が床に向かって曲がると緊張が減り、これに対して、手が上方に曲がると、その分だけ、後方付勢に関連付けられる手首の不快さ及び緊張のレベルが高まるように配置されている。このことは、制御装置の操作者にとって有利である。それは、制御装置の操作時に操作者の手が自然な位置でリラックスする為に、操作の人間工学的性能が高まる為である。ボタンＡ１〜Ａ６を含むパネルは、逆傾斜付勢を有してよく、これは、ボタンＡ１〜Ａ６が不明瞭にならないように、ユーザに対して目立たせる為である。
【００２９】
制御装置は、ボタンやジョイスティックなどのユーザ入力デバイスをユーザに対して提示するように構成された、様々な形状と方向付けされたセクションとを有してよい。図示されたように、制御装置は、ユーザ側セクション３０及び支持物側セクション４０を含んでよい。一実施形態では、これらのセクションは、はっきりした開始点又は終了点がなく、肘に似た形状の湾曲部又は接合部で一体となる。これら２つのセクションの互いに対する位置決めの角度Ｚは、実施形態に応じて鈍角又は鋭角であってよい。Ｚの範囲は、一実施形態では、約４５度から約１８０度である。ユーザ側セクションは、手で操作しやすいように、ある角度でユーザに対して傾斜している。この角度は、制御装置が支持部材１５などにより支持物に取り付けられる際に維持される。
【００３０】
一実施形態では、支持物側セクション４０は、ある角度で支持物に対して傾斜しているが、入力デバイスにはさわれるように位置決めされている。一実施形態では、制御装置の一方の端部に取り付け器具６０があり、制御装置の他方の端部に第１の入力デバイスがあり、第１の入力デバイスと制御装置の他方の端部との間に第２の入力デバイスが配置されている。一実施形態では、第２の入力デバイスは、制御装置の２つのセクションの間の湾曲部に近接して配置されている。取り付け器具６０は、一実施形態では、図１Ｃに示される支持物２０又は支持部材１５に取り付けられてよい。
【００３１】
図２Ａは、制御装置１０と、その様々な参照セグメントＪ、Ｋ、Ｌ、並びに参照ゾーンＺ１、Ｚ２、Ｚ３とを示す。セグメントＪとセグメントＫとの間の角度はＡ度である。セグメントＫとセグメントＬとの間の角度はＢ度である。Ａの範囲は、約１１０度から約１８０度であってよい。Ｂの範囲は、約４５度から約１８０度であってよい。セグメントＫ及びＬは、一実施形態では、セクション３０又は４０にわたる中心線又は別の線に沿って描かれてよい。セグメントＪは、一実施形態では、支持物２０に平行な面内に位置決めされてよい。
【００３２】
細長部材５０は、外側カバー又はグリップ５３を有するノブを含んでよい。外側カバー５３は、ゴムやプラスチックなどの柔軟な変形可能物質であってよく、リッジ、バンプ、又はくぼみなどのグリップ構造５６を含んでよい。細長部材５０は、一実施形態では、ゾーンＺ３内に配置される。１つ以上のボタンなどの別の入力デバイスが、一実施形態では、ゾーンＺ２に配置される。ゾーンＺ１は、滅菌ドレープを使用して実現可能であるような滅菌ゾーンを表す。図２Ｃは、制御装置１０の別の実施形態を示す。ゾーンＺ１及びＺ２は、取り付け器具６０の取り付け部と支持物２０との角度、及び制御装置１０の形状に基づいて、ユーザに提示される人間工学的入力ゾーンを形成するように並べられてよい。
【００３３】
図３Ａ〜３Ｅは、制御装置の別の実施形態の様々な斜視図を示す。各図面には、様々なサブシステム、構成要素、穴、キャビティ、及び留め具が示されている。これらは、例示的実施形態として与えられている。図３Ａに示されるように、上部ハウジング１２及び下部ハウジング１４は、様々な留め具Ｆを使用して分離されたり接合されたりしてよい。接合時には、ハウジング１２、１４は、一実施形態ではクランプである取り付け器具６０に接続される。取り付け器具６０は、支持物２０又は支持部材１５に接続される取り付けゾーン６２を含む。取り付け器具６０を制御装置に係合及び固定する為に、取り付けプレート７０及び留め具７０ａが使用されてよい。ハウジング１２のくぼみ領域３５内にインタフェースプレート７３が配置されてもよい。
【００３４】
インタフェースプレート７３を固定する為に、ハウジング１２の裏側にバックプレート７４が取り付けられてよい。このインタフェースプレート７３は、図１Ｂに示されたようなボタンの為の穴を画定してよい。上部ハウジング１２と下部ハウジング１４との間にジョイスティックモジュール７７が挟まれてもよい。２つのハウジング１２、１４の間には、プログラマブルプロセッサ又は他の回路を含んでよい電子回路及びコネクタモジュール７９が配置されてもよい。図３Ｂに示されるように、一実施形態では、ジョイスティックモジュール７７及びカバー５３からなる細長部材５０を受ける為の穴７５が上部ハウジング１２によって画定される。上部ハウジング及び下部ハウジングを固定する為に、様々な留め具Ｆが使用されてよい。
【００３５】
図３Ｃは、制御装置の一実施形態を示しており、細長部材の回転可能な性質が様々な矢印によって示されている。細長部材のノブ又は上部部分には、上部ボタン５５も示されている。取り付け器具６０は、固定された構成、又は閉じた構成で示されている。ユーザによって押されるように構成された、クランプ６０のリッジ領域８３も示されている。図４Ａ〜４Ｄは、取り付け器具６０の様々な状態を示す。具体的には、図４Ａは開いた状態を示し、図４Ｂは閉じた状態を示す。図４Ｃは、閉じた状態、或いは固定された状態の斜視図を示す。図４Ｄは、取り付け器具６０の開いた状態と固定された状態との間の遷移状態を示しており、器具６０は、摺動部材８６を使用して支持部材１５と部分的に係合している。この遷移状態を、図５Ｃでは別の図で示す。図４Ｂの固定された状態を、図５Ｂでは別の図で示す。図５Ａは、開いた状態に相当する図４Ａの取り付け器具６０を別の図で示したものである。図５Ｄ〜５Ｐも、取り付け器具６０を更に別の図で示したものである。
【００３６】
図６は、図１Ａに示されたようなカテーテル検査室で実施されるＯＣＴ処置のようなデータ収集処置から取得されるデータを表示することに適したシステムを示す。サーバなどのコンピューティング装置１００が、データ収集システム１２５の一部であってよく、或いは、そのようなシステム１２５からデータを受け取ってよい。システム１２５は、ネットワーク１２０に接続されてよい。一実施形態では、コンピューティング装置は、血管の断面図のような画像データを含む記憶装置を含む。コンピューティング装置１００は、インタフェース１２３のようなグラフィカルユーザインタフェースを表示する為の１つ以上のソフトウェアモジュール１０５を含む機械可読媒体又は他の記憶装置を含む。インタフェースは、複数のパネル、メニュー、又は他の表示可能領域を含んでよい。これらのパネル又は領域は、１つ以上のモニタ２３に表示されてよい。コンピューティング装置は、ネットワーク１２０を使用して、画像データなどのデータをモニタ２３と交換してよく、ネットワーク１２０は、１つ以上の、有線、光、無線などのデータ交換接続を含んでよい。
【００３７】
本明細書に記載のいずれかの制御装置であってよい制御装置１２７が、ネットワーク１２０を介して、図示されている他の装置又はシステムと有線、光、又は他の方法で通信してよい。制御装置１２７は、ＸＹＺジョイスティック構成要素１３０及び１つ以上のボタン１３７、１３５を含んでよい。制御装置は、インタフェース１２３を動作させているコンピューティングシステム１００にコマンド信号を送信する為に使用されてよい。インタフェース１２３は、システム１２５又は他のデータ源からのデータを表示してよい。インタフェース１２３は、制御装置１２７からの制御信号に対する応答として変化する１つ以上のメニュー及び他のセクションを含んでよい。制御装置１２７は、プロセッサ又は適切なプログラマブルＡＳＩＣを含んでよい。制御信号は、ネットワーク１２０又は別の接続を介して送信されてよい。
【００３８】
コンピューティング装置１００は、サーバコンピュータ、クライアントユーザコンピュータ、パーソナルコンピュータ（ＰＣ）、ラップトップコンピュータ、タブレットＰＣ、デスクトップコンピュータ、制御システム、マイクロプロセッサ、又は、そのコンピュータ装置によって実施されるべきアクションを指定する一組の命令を（順次、又は別の方法で）実行することが可能な任意のコンピューティング装置などであってよい。更に、図示されているのは単一のコンピューティング装置であるが、「コンピューティング装置」という言葉は、一組（又は複数組）の命令を個々に、又は共同で実行して、インタフェース１２３など、任意の１つ以上のソフトウェア機能又は方法を実施する、コンピューティング装置の任意の集合体を含む意味にも解釈されなければならない。
【００３９】
図７Ａ及び７Ｂは、グラフィカルユーザインタフェース１２３の一表現を示す。インタフェース１２３は、複数のパネルを含む。図示されるように、一実施形態では、４つのメインパネル１５０、１５５、１６０、及び１６５がある。これらは、この実施形態では血管造影データを表示する補助表示パネル１５０、断面図又はＢモード表示パネル１５５、管腔縦断面パネル１６０、及びＬモード表示パネル１６５を含む。一実施形態では、インタフェースは更に、複数のツールバーＢ１、Ｂ２、及びＢ３を含む。パネル１５０には、血管造影画像の上に重ね合わされた十字形として３つのマーカが表示されている。上部マーカは、パネル１６０に表示された近位基準フレームに対応する。中間部マーカは、パネル１６０に表示された最小管腔面積フレーム、又はパネル１５５に表示されたアクティブＯＣＴフレームに対応する。下部マーカは、パネル１６０に表示された遠位基準フレームに対応する。
【００４０】
図７Ａは、パネル１６０において、ＯＣＴプローブのプルバック中に画像化された、血管の管腔縦断面の一部としての最小管腔面積プロットを示す。Ｄ矢印及びＰ矢印は、画像化された血管の近位方向及び遠位方向を示す。セクションＬ１及びＬ２を有する線で示される切断面は、パネル１５５の断面図に表示されており、又、Ｌモードパネル１６５にもセクションＬ１及びＬ２として表示されている。情報バーＢ１、測定バーＢ２、及びメニューバーＢ３が表示されている。
【００４１】
図示されるように、動脈などの血管の距離は、例示的測定距離の１１９．８８ｍｍで示されるように、２つの端点を基準にして測定可能である、更に、平均直径は、血管の測定の為に選択された基準フレームの各端点において示されてよく、例えば、遠位基準フレーム及び近位基準フレームにおける、それぞれの平均直径値３９．２ｍｍ及び４４．２ｍｍのように示される。図示されるように、ＭＬＡ（最小管腔面積）は約２２ｍｍ２である。ＭＬＡフレームにおいて、血管平均直径は約２．１１ｍｍであり、近位基準フレーム及び遠位基準フレームの平均直径に対する直径狭窄率は２５．４％である。
【００４２】
図７Ｃは、図１Ｂに示されたボタンＡ１〜Ａ６のような複数のボタンを含むキーパッドを示す。図８Ａ及び８Ｂは、本発明の制御装置実施形態の回転可能な細長部材又はジョイスティック実施形態を表している。図７Ｃに示されたボタンに関して、ボタンの操作に対する応答として図７Ａ及び図７Ｂのグラフィカルユーザインタフェースにおいて発生する、対応するイベント又はアクションを以下に明示する。これらは、ボタン操作とインタフェースのイベント／アクションとの例示的なマッピングであり、所与の実施形態に応じて、変更されたり、入れ替えられたり、他の方法で別の様式にプログラミングされたりしてよい。
【表１】
2018170017.tif 000003
フライスルーは、ユーザが血管の３Ｄレンダリング内を飛ぶことができる、あたかも内部から見るような可視化モードのことである。セグメンテーションは、特定の血管特徴（例えば、血管管腔、ステントストラット、特定の組織成分など）を他の血管特徴から切り離して表示することである。
【００４３】
図８Ａ及び図８Ｂに示された、細長部材／ジョイスティックの時計回り及び反時計回りの回転又はねじりに関して、回転又はねじりに対する応答として図７Ａ及び図７Ｂのグラフィカルユーザインタフェース又は他のグラフィカルユーザインタフェース実施形態において発生する、対応するイベント又はアクションを以下に明示する。具体的には、ジョイスティックを使用して実施される様々な動き又は他のアクションが左側に示され、グラフィカルユーザインタフェース上に描かれるような、ソフトウェアにおいて達成される、関連付けられた結果又は機能が右側に示された表である。更に、様々な動き又はボタン操作と、結果としてソフトウェアによって得られる機能又は結果を、大まかに診断技術別に分類することも可能であり、これらを、光コヒーレンス断層撮影及びＦＦＲに関して以下に概説する。これらは、動きとインタフェースのイベント／アクションとの例示的なマッピングであり、所与の実施形態に応じて、変更されたり、入れ替えられたり、他の方法で別の様式にプログラミングされたりしてよい。以下にリストされる動きとＧＵＩイベント／アクションとのマッピングに関しては、ボタン５５も含まれる。
ポインティングデバイスの動き／操作と、関連付けられる機能又は結果（ＯＣＴ）
【表２】
2018170017.tif 000004
ポインティングデバイスの動き／操作と、関連付けられる機能又は結果（ＦＦＲ）
【表３】
2018170017.tif 000005
【００４４】
図９は、真ん中が、特定位置での管腔の断面に対応する初期フレームＮを示す。所与の実施形態においてジョイスティックなどの回転可能な細長部材を回転させると、ユーザインタフェースは、回転方向に基づいて次にフレームに移動する。このようにして、ユーザは、回転可能な部材を回転させて、フレーム又はフレーム群単位で一方向にインクリメントし、その後、逆方向に回転を戻して、フレーム単位でデクリメントして開始フレームに戻るか開始フレームを過ぎることが可能である。初期フレームＮの左側の画像は、ｉフレームだけデクリメントしたものを示す。初期フレームＮの右側の画像は、ｊフレームだけインクリメントしたものを示す。
【００４５】
本発明の態様、実施形態、特徴、及び実施例は、あらゆる点において例示的であると見なされるべきであり、本発明を限定することを意図されておらず、本発明の範囲は特許請求の範囲によってのみ定義される。当業者であれば、特許請求対象である本発明の趣旨及び範囲から逸脱しない範囲での他の実施形態、変更、及び使用方法は明らかであろう。
【００４６】
本出願における見出し及びセクションの使い方は、本発明を限定するものではなく、各セクションは、本発明のあらゆる態様、実施形態、又は特徴に当てはまるものであってよい。
【００４７】
本出願全体を通して、特定の構成要素を有するか、包含するか、含むものとして構成が記載されている場合、或いは、特定のプロセスステップを有するか、包含するか、含むものとしてプロセスが記載されている場合、本教示の構成も、本質的に記載の構成要素からなるか、記載の構成要素からなり、本教示のプロセスも、本質的に記載のプロセスステップからなるか、記載のプロセスステップからなると考えられる。
【００４８】
本出願では、要素又は構成要素が、記載の要素又は構成要素のリストに含まれるか、且つ／又は、そのリストから選択されるものとして記述される場合、当然のことながら、その要素又は構成要素は、記載の要素又は構成要素のいずれかであってよく、記載の要素又は構成要素のうちの２つ以上からなる群から選択されてよい。更に、当然のことながら、本明細書に記載の構成、装置、又は方法の各要素及び／又は各特徴は、本明細書において明示的であれ暗黙的であれ、本教示の趣旨及び範囲から逸脱しない限り、様々な様式で組み合わされてよい。
【００４９】
「含む（ｉｎｃｌｕｄｅ）」、「含む（ｉｎｃｌｕｄｅｓ）」、「含む（ｉｎｃｌｕｄｉｎｇ）」、「有する（ｈａｖｅ）」、「有する（ｈａｓ）」、「有する（ｈａｖｉｎｇ）」という語句の使用は、特に断らない限り、一般的にはオープンエンド且つ非限定的であると理解されたい。
【００５０】
特に断らない限り、本明細書での単数形の使用は複数形を包含し、複数形の使用は単数形を包含する。更に、文脈上明らかに他の意味に解すべき場合を除き、単数形「ａ」、「ａｎ」、及び「ｔｈｅ」は複数形を包含する。更に、「約（ａｂｏｕｔ）」という語句が量的値の前に使用される場合、特に断らない限り、本教示は又、その特定の量的値自体を包含する。
【００５１】
当然のことながら、ステップの順序、或いは、特定のアクションを実施する順序は、本教示が動作可能なままである限り、重要ではない。更に、２つ以上のステップまたはアクションが同時に実施されてよい。
【００５２】
値の範囲又は並びが与えられた場合、その、値の範囲又は並びの上限と下限の間にある各中間値は、個別のものとして考えられ、各値が本明細書において具体的に列挙されているかのように本発明に包含される。更に、所与の範囲の上限から下限までのより小さい範囲が本発明において考えられ、本発明に包含される。例示的な値又は範囲の並びは、所与の範囲の上限から下限までの他の値又は範囲を否定するものではない。
【００５３】
本発明は多様な形態で実施されてよく、例えば、プロセッサ（例えば、マイクロプロセッサ、マイクロコントローラ、デジタル信号プロセッサ、又は汎用コンピュータ）とともに使用されるコンピュータプログラムロジック、プログラマブルロジックデバイス（例えば、フィールドプログラマブルゲートアレイ（ＦＰＧＡ）又は他のＰＬＤ）とともに使用されるプログラマブルロジック、離散コンポーネント、集積回路（例えば、特定用途向け集積回路（ＡＳＩＣ））、又は、これらの任意の組み合わせを含む他の任意の手段などの形態で実施されてよく、これらに限定されない。本発明の一実施形態では、制御信号の生成又はユーザインタフェースコマンドの開始に使用されるデータの処理の一部又は全てが、一組のコンピュータプログラム命令として実装され、これらの命令は、コンピュータ実行可能形式に変換され、その形式でコンピュータ可読媒体に記憶され、オペレーティングシステムの制御下でマイクロプロセッサによって実行される。一実施形態では、制御装置からの出力制御信号が、プロセッサが理解できる命令に変換され、これらの命令は、ジョイスティックの位置に対して応答すること、グラフィカルユーザインタフェース、制御つまみ、及びグラフィック信号処理を制御すること、他のデータ収集モダリティからの断面情報及び画像を表示すること、ＯＣＴ、血管造影、及び他のデータをグラフィカルユーザインタフェースの一部として表示すること、並びに上述された他の特徴及び実施形態に適する。
【００５４】
本明細書にここまで記載されてきた機能性の全て又は一部を実装するコンピュータプログラムロジックは、様々な形式で埋め込まれてよく、例えば、ソースコード形式、コンピュータ実行可能形式、又は各種中間形式（例えば、アセンブラ、コンパイラ、リンカ、又はロケータによって生成される形式）で埋め込まれてよく、これらに限定されない。ソースコードは、様々なオペレーティングシステム又はオペレーティング環境とともに使用される様々なプログラミング言語（例えば、オブジェクトコード、アセンブリ言語、又は、フォートラン、Ｃ、Ｃ＋＋、ＪＡＶＡ（登録商標）、又はＨＴＭＬなどの高級言語）のいずれかで実装された一連のコンピュータプログラム命令を含んでよい。ソースコードは、様々なデータ構造体及び通信メッセージを定義及び使用してよい。ソースコードは、（例えば、インタプリタを経た）コンピュータ実行可能形式であってよく、或いは、ソースコードは、（例えば、トランスレータ、アセンブラ、又はコンパイラを経て）コンピュータ実行可能形式に変換されてよい。
【００５５】
コンピュータプログラムは、任意の形式（例えば、ソースコード形式、コンピュータ実行可能形式、又は中間形式）で有形の記憶媒体に永続的又は一時的に固定されてよく、そのような記憶媒体として、例えば、半導体メモリデバイス（例えば、ＲＡＭ、ＲＯＭ、ＰＲＯＭ、ＥＥＰＲＯＭ、又はフラッシュプログラマブルＲＡＭ）、磁気メモリデバイス（例えば、ディスケット又は固定ディスク）、光メモリデバイス（例えば、ＣＤ−ＲＯＭ）、ＰＣカード（例えば、ＰＣＭＣＩＡカード）、又は他のメモリデバイスがある。コンピュータプログラムは、任意の形式で、様々な通信技術のいずれかを使用してコンピュータに送信可能な信号に固定されてよく、そのような通信技術として、アナログ技術、デジタル技術、光技術、無線技術、ネットワーキング技術、及びインターネットワーキング技術があり、これらに限定されない。コンピュータプログラムは、印刷文書又は電子文書付きのリムーバブル記憶媒体（例えば、シュリンク包装されたソフトウェア）のような任意の形式で流通されてよく、或いは、コンピュータシステム（の、例えば、システムＲＯＭ又は固定ディスク）にあらかじめロードされてよく、或いは、ネットワーク経由で流通されてよい。
【００５６】
プログラマブルロジックは、有形の記憶媒体に永続的又は一時的に固定されてよく、そのような記憶媒体として、例えば、半導体メモリデバイス（例えば、ＲＡＭ、ＲＯＭ、ＰＲＯＭ、ＥＥＰＲＯＭ、又はフラッシュプログラマブルＲＡＭ）、磁気メモリデバイス（例えば、ディスケット又は固定ディスク）、光メモリデバイス（例えば、ＣＤ−ＲＯＭ）、又は他のメモリデバイスがある。プログラマブルロジックは、様々な通信技術のいずれかを使用してコンピュータに送信可能な信号に固定されてよく、そのような通信技術として、アナログ技術、デジタル技術、光技術、無線技術（例えば、Ｂｌｕｅｔｏｏｔｈ（登録商標））、ネットワーキング技術、及びインターネットワーキング技術があり、これらに限定されない。プログラマブルロジックは、印刷文書又は電子文書付きのリムーバブル記憶媒体（例えば、シュリンク包装されたソフトウェア）として流通されてよく、或いは、コンピュータシステム（の、例えば、システムＲＯＭ又は固定ディスク）にあらかじめロードされてよく、或いは、サーバ又は電子掲示板から通信システム（例えば、インターネット又はワールドワイドウェブ）経由で流通されてよい。
【００５７】
以下では、好適な処理モジュールの様々な実施例について詳述する。本明細書では、モジュールは、特定のデータ処理タスク又はデータ送信タスクを実施することに適したソフトウェア、ハードウェア、又はファームウェアを意味する。典型的には、好ましい一実施形態では、モジュールは、命令、又は様々な種類のデータを受信、送信、ルーティング、及び処理することに適したソフトウェアルーチン、プログラム、又は他のメモリ常駐アプリケーションを意味し、そのようなデータとして、例えば、ＯＣＴ走査データ、ユーザインタフェースデータ、制御信号、血管造影データ、ユーザアクション、頻度、干渉計信号データ、及び他の関心対象情報がある。
【００５８】
本明細書に記載のコンピュータ及びコンピュータシステムは、データの取得、処理、記憶、及び／又は伝達に使用されるソフトウェアアプリケーションを記憶する為に作用的に関連付けられた機械可読媒体、例えば、メモリのようなコンピュータ可読媒体を含んでよい。当然のことながら、そのようなメモリは、その作用的に関連付けられたコンピュータまたはコンピュータシステムに対して内部にあってよく、外部にあってよく、離れていてよく、近くにあってよい。
【００５９】
「機械可読媒体」という用語は、機械によって実行されて、本開示の方法のうちの任意の１つ以上を機械に実施させる一組の命令を記憶、エンコード、又は搬送することが可能な任意の媒体を包含する。機械可読媒体を、一例示的実施形態では単一媒体であるように示したが、「機械可読媒体」という用語は、一組以上の命令を記憶する単一媒体又は複数媒体（例えば、データベース、１つ以上の集中型又は分散型のデータベース、及び／又は関連付けられたキャッシュ及びサーバ）を包含するものとして理解されたい。
【００６０】
メモリは、ソフトウェア又は他の命令を記憶する任意の手段を包含してもよく、そのような手段として、例えば、ハードディスク、光ディスク、フロッピー（登録商標）ディスク、ＤＶＤ（デジタル多用途ディスク）、ＣＤ（コンパクトディスク）、メモリスティック、フラッシュメモリ、ＲＯＭ（読み出し専用メモリ）、ＲＡＭ（ランダムアクセスメモリ）、ＤＲＡＭ（ダイナミックランダムアクセスメモリ）、ＰＲＯＭ（プログラマブルＲＯＭ）、ＥＥＰＲＯＭ（拡張消去可能ＰＲＯＭ）、及び／又は他の同様なコンピュータ可読媒体があり、これらに限定されない。
【００６１】
一般に、本明細書に記載の、本発明の実施形態に関連して適用されるコンピュータ可読メモリ媒体は、プログラマブル装置によって実行される命令を記憶することが可能な任意のメモリ媒体を包含してよい。本明細書に記載の方法ステップは、適用可能な場合には、１つ以上のコンピュータ可読メモリ媒体に記憶された命令として実施又は実行されてよい。
【００６２】
当然のことながら、本発明についての図面及び説明は簡略化されており、これは、本発明を明確に理解することに関連する要素を示し、他の要素を明確さの為に省略する為である。しかしながら、当業者であれば理解されるように、これらの要素及び他の要素が必要な場合がある。しかしながら、そのような要素が当該技術分野において周知であること、並びに、それらが本発明のよりよい理解を推進するわけではないことから、そのような要素についての説明は、本明細書では行わない。当然のことながら、図面は、図解を目的として与えられており、組立図として与えられているわけではない。省略された細部及び修正又は代替実施形態は、当業者の視野の範囲内にある。
【００６３】
当然のことながら、本発明の態様によっては、ある要素又は構造物を与える為に、或いは、所与の１つ以上の機能を実施する為に、単一の構成要素が複数の構成要素に置き換えられてよく、複数の構成要素が単一の構成要素に置き換えられてよい。そのような置き換えは、本発明の特定の実施形態を実施するように作用しない場合を除き、本発明の範囲内であると見なされる。
【００６４】
本明細書において提示された実施例は、本発明の、可能性がある具体的な実装を例示することを意図されている。当然のことながら、各実施例は、当業者に対して本発明の例示を行うことが主目的として意図されている。本発明の趣旨から逸脱しない限り、各図、又は本明細書に記載の操作に対して変形形態があってよい。例えば、場合によっては、方法ステップまたは操作は、異なる順序で実施又は実行されてよく、或いは、操作の追加、削除、又は変更があってよい。
【００６５】
更に、本発明の具体的な実施形態が本明細書において記載されてきたのは、本発明の説明が目的であって、本発明の限定が目的ではないが、当業者であれば理解されるように、要素、ステップ、構造、及び／又は部品の細部、材料、及び配列の様々な変更が、特許請求の範囲に記載されている本発明から逸脱しない限り、本発明の原理及び範囲に収まるように行われてよい。
【００６６】
〔付記１〕
データ収集システムの制御装置であって、
ハウジングであって、
ユーザ側セクションと、
穴を画定する支持物側セクションと、を備える前記ハウジングと、
前記ユーザ側セクションに隣接する第１の入力デバイスと、
第２の入力デバイスであって、
第３の入力デバイスを備えるノブと、
前記穴を貫通して延び、一部分が前記ノブ内に配置されている回転可能なシャフトと、を備える前記第２の入力デバイスと、
支持物と係合するように構成された取り付け器具とを備え、
前記ユーザ側セクション及び前記支持物側セクションは、互いに対して、前記支持物側セクションが前記支持物に近づくに伴って下方に向かうように傾斜する角度で配置されており、
前記第２の入力デバイスは前方傾斜付勢されている、
制御装置。
〔付記２〕
前記ユーザ側セクションの裏面と前記支持物側セクションの裏面の相互間の角度の範囲は約７０度から約１７０度である、付記１に記載の制御装置。
〔付記３〕
前記第１の入力デバイスは複数のボタンを含む、付記１に記載の制御装置。
〔付記４〕
前記複数のボタンは、グラフィカルユーザインタフェース用コマンドを発生させるようにプログラムされている、付記３に記載の制御装置。
〔付記５〕
前記コマンドは、
オフと３Ｄと血管造影とフライスルーとの間で表示を切り換えることと、
オフと管腔縦断面との間で表示を切り換えることと、
遠位基準フレームを現在の測定対象であるアクティブフレームにはめ込むことと、
オフと管腔とステントと管腔及びステントとの間でセグメンテーションを切り換えることと、
からなる群から選択される、付記４に記載の制御装置。
〔付記６〕
無線送信機及びプロセッサを更に備える、付記１に記載の制御装置。
〔付記７〕
前記シャフトの回転は、グラフィカルユーザインタフェース用コマンドを発生させるようにプログラムされている、付記６に記載の制御装置
〔付記８〕
前記コマンドは、
現在の測定対象であるアクティブフレームを次の近位フレームまで動かすことと、
現在の測定対象であるアクティブフレームを次の遠位フレームまで動かすことと、
回転モードに入り、切断面を回転させることと、
からなる群から選択される、付記７に記載の制御装置。
〔付記９〕
前記ユーザ側セクションの裏面と前記支持物側セクションの裏面の相互間の前記角度の範囲は約９０度超から約１６０度である、付記２に記載の制御装置。
〔付記１０〕
データ収集システムであって、
グラフィカルユーザインタフェースと、
前記グラフィカルユーザインタフェースと通信し、前記グラフィカルユーザインタフェースにコマンドを送信するように構成されたプロセッサと、
光コヒーレンス断層撮影装置からの画像データを２次元形式で第１のパネルに表示するように構成された前記グラフィカルユーザインタフェースと、
光コヒーレンス断層撮影装置からの画像データを３次元形式で第２のパネルに表示するように構成された前記グラフィカルユーザインタフェースと、
血管造影システムからの画像データを第３のパネルに表示するように構成された前記グラフィカルユーザインタフェースと、
制御装置からのコマンドを受信するように構成された受信器と、
受信されたコマンドに対する応答として前記第１のパネル及び前記第２のパネルにおいて１つ以上の画像フレームを変更するように構成された前記グラフィカルユーザインタフェースとを備え、
前記受信されるコマンドは、回転可能な入力デバイスから生成され、
前記制御装置は、前方傾斜付勢を有するジョイスティックを備えるポインティングデバイスである、
システム。
〔付記１１〕
前記第１のパネルの画像フレームは、前記第２のパネルの画像フレームと同期している、付記１０に記載のシステム。
〔付記１２〕
前記第１のパネルは血管の断面画像を表示し、前記第２のパネルは血管の長手方向画像を表示する、付記１０に記載のシステム。
〔付記１３〕
前記制御装置は、ハウジングであって、
ユーザ側セクションと、
穴を画定する支持物側セクションと、を備える前記ハウジングと、
前記ユーザ側セクションに隣接する第１の入力デバイスと、
第２の入力デバイスであって、
第３の入力デバイスを備えるノブと、
前記穴を貫通して延び、一部分が前記ノブ内に配置されている回転可能なシャフトと、を備える前記第２の入力デバイスと、
支持物と係合するように構成された取り付け器具とを備え、
前記ユーザ側セクション及び前記支持物側セクションは、互いに対して、前記支持物側セクションが前記支持物に近づくに伴って下方に向かうように傾斜する角度で配置されている、
付記１０に記載のシステム。
〔付記１４〕
前記制御装置は、支持物と係合するように構成された取り付け器具と、ユーザ側セクションと、支持物側セクションと、を備え、前記支持物側セクションは、前記ユーザ側セクションに対して、前記支持物側セクションが前記支持物に近づくに伴って下方に向かうように傾斜する角度で配置される、付記１０に記載のシステム。
〔付記１５〕
前記ユーザ側セクションの裏面と前記支持物側セクションの裏面の相互間の角度の範囲は約７０度から約１７０度である、付記１４に記載のシステム。
〔付記１６〕
データ収集システムの制御装置であって、
支持物と係合するように構成された取り付け器具と、
１つ以上の入力デバイスを備えたユーザ側セクションと、
回転可能なノブを備えたジョイスティックを備えた支持物側セクションと、を備え、
前記ユーザ側セクション及び前記支持物側セクションは、互いに対して、前記支持物側セクションが前記支持物に近づくに伴って下方に向かうように傾斜する角度で配置され、前記ジョイスティックは前記支持物に向かう前方傾斜付勢を有する、
制御装置。
〔付記１７〕
前記ユーザ側セクションの裏面と前記支持物側セクションの裏面の相互間の角度の範囲は約７０度から約１７０度である、付記１６に記載の制御装置。
【図１Ａ】
2018170017.tif 000006
【図１Ｂ】
2018170017.tif 000007
【図１Ｃ】
2018170017.tif 000008
【図２Ａ】
2018170017.tif 000009
【図２Ｂ】
2018170017.tif 000010
【図３Ａ】
2018170017.tif 000011
【図３Ｂ】
2018170017.tif 000012
【図３Ｃ】
2018170017.tif 000013
【図３Ｄ】
2018170017.tif 000014
【図３Ｅ】
2018170017.tif 000015
【図４Ａ】
2018170017.tif 000016
【図４Ｂ】
2018170017.tif 000017
【図４Ｃ】
2018170017.tif 000018
【図４Ｄ】
2018170017.tif 000019
【図５Ａ】
2018170017.tif 000020
【図５Ｂ】
2018170017.tif 000021
【図５Ｃ】
2018170017.tif 000022
【図５Ｄ】
2018170017.tif 000023
【図５Ｅ】
2018170017.tif 000024
【図５Ｆ】
2018170017.tif 000025
【図５Ｇ】
2018170017.tif 000026
【図５Ｈ】
2018170017.tif 000027
【図５Ｉ】
2018170017.tif 000028
【図５Ｊ】
2018170017.tif 000029
【図５Ｋ】
2018170017.tif 000030
【図５Ｌ】
2018170017.tif 000031
【図５Ｍ】
2018170017.tif 000032
【図５Ｎ】
2018170017.tif 000033
【図５Ｏ】
2018170017.tif 000034
【図５Ｐ】
2018170017.tif 000035
【図６】
2018170017.tif 000036
【図７Ａ】
2018170017.tif 000037
【図７Ｂ】
2018170017.tif 000038
【図７Ｃ】
2018170017.tif 000039
【図８Ａ】
2018170017.tif 000040
【図８Ｂ】
2018170017.tif 000041
【図９】
2018170017.tif 000042